(57)【要約】      （修正有）【課題】相対的に厚さが薄い板部材の表面から突出した円筒状のボス部を有しその板部材を貫通しそのボス部先端まで繋がった通路が設けられた取付部材が取付けられる、相対的に厚さが厚い基体等に関し、およびその基体をキャリッジアームとして有する情報記憶装置に関する。ボス部が球体の通過方向に大きく塑性変形することを抑える。【解決手段】ボス部１７２が嵌入される、厚さ方向に貫通した貫通孔１６２を有し、取付部材１７０が、貫通孔１６２にボス部１７２を嵌入させた状態で通路１７３の径よりも大きな径の球体５５０を通路１７３を通過させることでボス部１７２を塑性変形させて基体にカシメられるものであり、貫通孔１６２は、取付部材１７０が基体１６０にカシメられる際、塑性変形するボス部１７２の一部を通路１７３の径方向へ逃がす逃がし部１６２０を有する。【選択図】図３
2006073064.tif 000002
【特許請求の範囲】
【請求項１】
相対的に厚さが薄い板部材の表面から突出した円筒状のボス部を有し該板部材を貫通し該ボス部先端まで繋がった通路が設けられた取付部材が取付けられる、相対的に厚さが厚い基体において、
前記ボス部が嵌入される、厚さ方向に貫通した貫通孔を有し、
前記取付部材が、前記貫通孔に前記ボス部を嵌入させた状態で前記通路の径よりも大きな径の球体を該通路を通過させることで該ボス部を塑性変形させて前記基体にカシメられるものであり、
前記貫通孔は、前記取付部材が前記基体にカシメられる際、塑性変形する前記ボス部の一部を前記通路の径方向へ逃がす逃がし部を有するものであることを特徴とする基体。
【請求項２】
前記貫通孔が、前記ボス部の外周径に対応した径の大円と、該大円よりも小さな小円とを互いの円弧が交差するように重ね合わせた形状の孔であり、該小円の、該大円から外れた部分が前記逃がし部として作用するものであることを特徴とする請求項１記載の基体。
【請求項３】
この基体が、後端側を回動支点にしてアクチュエータからの駆動力を受けて先端側が所定の情報記憶媒体の表面に沿って回動するキャリッジアームであって、
前記取付部材は、所定の情報記憶媒体に対する情報記録および情報再生のうち少なくともいずれか一方を行うヘッドが先端に配備されたサスペンションアームの後端が、長手方向一端側に取り付けられ、該一端側に対する他端側が前記キャリッジアーム先端側に取り付けられるスペーサであることを特徴とする請求項１記載の基体。
【請求項４】
前記貫通孔が、前記ボス部の外周径に対応した径の円から前記キャリッジアーム先端に向けて突出した突出空間を有するものであり、該突出空間が前記逃がし部として作用するものであることを特徴とする請求項３記載の基体。
【請求項５】
所定の情報記憶媒体に対する情報記録および情報再生のうち少なくともいずれか一方を行うヘッドと、
前記ヘッドが前記情報記憶媒体に対して近接あるいは接触するように該ヘッドを保持するサスペンションアームと、
アクチュエータからの駆動力を受けて前記情報記憶媒体の表面に沿って移動するキャリッジアームと、
一端が前記サスペンションアームに取り付けられるとともに該一端に対する他端が前記キャリッジアームに取り付けられたものであって、前記キャリッジアームの厚さよりも薄い板部材の表面から突出した円筒状のボス部を有し該板部材を貫通し該ボス部先端まで繋がった通路が設けられたスペーサとを備え、
前記キャリッジアームが、前記ボス部が嵌入された、厚さ方向に貫通した貫通孔を有するものであり、
前記スペーサが、前記キャリッジアームに取り付けられる際、前記貫通孔に前記ボス部を嵌入させた状態で前記通路の径よりも大きな径の球体を該通路を通過させることで該ボス部を塑性変形させて前記キャリッジアームにカシメられたものであり、
前記貫通孔は、前記スペーサが前記キャリッジアームにカシメられる際、塑性変形する前記ボス部の一部を前記通路の径方向へ逃がす逃がし部を有するものであることを特徴とする情報記憶装置。
【発明の詳細な説明】
【技術分野】
【０００１】
本発明は、相対的に厚さが薄い板部材の表面から突出した円筒状のボス部を有しその板部材を貫通しそのボス部先端まで繋がった通路が設けられた取付部材が取付けられる、相対的に厚さが厚い基体、およびその基体をキャリッジアームとして有する情報記憶装置に関する。
【背景技術】
【０００２】
アクチュエータからの駆動力を受けて磁気ディスクの表面に沿って移動するキャリッジアームと、磁気ディスクに対する記録および再生のうち少なくともいずれか一方を行う磁気ヘッドが先端に配備されたサスペンションアームとはスペーサを介して接続されるのが一般的である。スペーサを介する場合、例えば、スペーサの一端にサスペンションアームをレーザ溶接等によって取り付けておき、スペーサの他端をキャリッジアームに取り付ける。従来より、２つの部材を強固に接続する手段の一つとして一方の部材を他方の部材にカシメることが知られており（例えば、特許文献１参照）、スペーサをキャリッジアームに取り付ける際にもスペーサをキャリッジアームにカシメることが行われている（例えば、特許文献２参照）。特許文献２に記載された技術では、板部材の表面から突出した円筒状のボス部を有するスペーサが用いられている。この特許文献２に記載されたスペーサには、板部材を貫通しボス部先端まで繋がった通路が設けられている。一方、特許文献２に記載されたキャリッジアームには厚さ方向に貫通した貫通孔が設けられている。特許文献２には、いわゆるボールカシメと称される技術が紹介されており、キャリッジアームの貫通孔にスペーサのボス部を嵌入させた状態で、スペーサに設けられた通路の径よりも大きな径の球体（ボール）をその通路を通過させることでボス部を塑性変形させ、スペーサをキャリッジアームにカシメている。
【０００３】
ところで、ボス部が球体の通過方向に大きく塑性変形すると板部材までもが球体の通過方向に引っ張られ、スペーサに取り付けられたサスペンションアームが傾斜し先端が持ち上がってしまうことがある。そこで、特許文献２に記載された技術では、ボス部が球体の通過方向に大きく塑性変形することを抑えるためスペーサ側に工夫を凝らしている。すなわち、板部材の、ボス部近傍に孔を設けたり、あるいは突出したボス部の周壁の一部を突出方向に切り欠いて、ボス部が球体の通過方向に大きく塑性変形することを抑えている。
【特許文献１】特開昭５５−１１９５号公報
【特許文献２】特開２００１−３５３５３９号公報
【発明の開示】
【発明が解決しようとする課題】
【０００４】
しかしながら、スペーサの板部材の厚さは、キャリッジアームの厚さよりも遙かに薄く、板部材に特許文献２に記載されたような孔を設けると、スペーサの強度が低下してしまう。また、ボス部に切欠きを設けるとボス部自体の強度が低下してしまう。このため、組立て時にスペーサの板部材を曲げないように、あるいはボス部を潰さないようにスペーサの取り扱いを必要以上に注意しなければならず、取り扱い性が悪化してしまうという問題が生じる。
【０００５】
この問題は、キャリッジアームに取り付けるスペーサに限らず、基体に取り付けられる取付部材一般に通じる問題であり、スペーサの板部材よりも厚い基体側で、ボス部が球体の通過方向に大きく塑性変形することを抑える技術の提供が待たれている。
【０００６】
本発明は上記事情に鑑み、ボス部が球体の通過方向に大きく塑性変形することを抑えることができる基体、およびその基体をキャリッジアームとして有する情報記憶装置を提供することを目的とするものである。
【課題を解決するための手段】
【０００７】
上記目的を解決する本発明の基体は、相対的に厚さが薄い板部材の表面から突出した円筒状のボス部を有しその板部材を貫通しそのボス部先端まで繋がった通路が設けられた取付部材が取付けられる、相対的に厚さが厚い基体において、
上記ボス部が嵌入される、厚さ方向に貫通した貫通孔を有し、
上記取付部材が、上記貫通孔に上記ボス部を嵌入させた状態で上記通路の径よりも大きな径の球体をその通路を通過させることでそのボス部を塑性変形させて上記基体にカシメられるものであり、
上記貫通孔は、上記取付部材が上記基体にカシメられる際、塑性変形する上記ボス部の一部を上記通路の径方向へ逃がす逃がし部を有するものであることを特徴とする。
【０００８】
本発明の基体によれば、上記貫通孔が上記逃がし部を有するものであることにより、上記ボス部が逃げ場を失って上記球体の通過方向へ塑性変形することが抑えられる。
【０００９】
また、本発明の基体において、上記貫通孔が、上記ボス部の外周径に対応した径の大円と、その大円よりも小さな小円とを互いの円弧が交差するように重ね合わせた形状の孔であり、その小円の、その大円から外れた部分が上記逃がし部として作用するものであることが好ましい。
【００１０】
こうすることで、上記逃がし部が円弧状の壁で画定した部分になり、強度が高まる。
【００１１】
ここで、上記貫通孔が、楕円形状の孔であり、長径方向両端部分が上記逃がし部として作用するものであってもよい。
【００１２】
また、本発明の基体において、この基体が、後端側を回動支点にしてアクチュエータからの駆動力を受けて先端側が所定の情報記憶媒体の表面に沿って回動するキャリッジアームであって、
上記取付部材は、所定の情報記憶媒体に対する情報記録および情報再生のうち少なくともいずれか一方を行うヘッドが先端に配備されたサスペンションアームの後端が、長手方向一端側に取り付けられ、その一端側に対する他端側が上記キャリッジアーム先端側に取り付けられるスペーサであってもよい。
【００１３】
上記基体をキャリッジアームとし上記取付部材をスペーサとした場合、上記貫通孔が、上記ボス部の外周径に対応した径の円から上記キャリッジアーム先端に向けて突出した突出空間を有するものであり、その突出空間が上記逃がし部として作用するものであるこが好ましい。
【００１４】
こうすることで、上記スペーサの板部材の、上記長手方向一端側が球体の通過方向に引っ張られることを確実に抑えることができ、その結果、上記長手方向一端側に取り付けられたサスペンションアームが傾斜し先端が持ち上がってしまうことが防止される。
【００１５】
またこの場合、上記貫通孔が、取り付けられるスペーサの長手方向に長径方向を一致させた楕円形状の孔であり、その長径方向の両側部分が上記逃がし部として作用するものであってもよい。
【００１６】
上記目的を解決する本発明の情報記憶装置は、所定の情報記憶媒体に対する情報記録および情報再生のうち少なくともいずれか一方を行うヘッドと、
上記ヘッドが上記情報記憶媒体に対して近接あるいは接触するようにそのヘッドを保持するサスペンションアームと、
アクチュエータからの駆動力を受けて上記情報記憶媒体の表面に沿って移動するキャリッジアームと、
一端が上記サスペンションアームに取り付けられるとともにその一端に対する他端が上記キャリッジアームに取り付けられたものであって、上記キャリッジアームの厚さよりも薄い板部材の表面から突出した円筒状のボス部を有しその板部材を貫通しそのボス部先端まで繋がった通路が設けられたスペーサとを備え、
上記キャリッジアームが、上記ボス部が嵌入された、厚さ方向に貫通した貫通孔を有するものであり、
上記スペーサが、上記キャリッジアームに取り付けられる際、上記貫通孔に上記ボス部を嵌入させた状態で上記通路の径よりも大きな径の球体をその通路を通過させることでそのボス部を塑性変形させて上記キャリッジアームにカシメられたものであり、
上記貫通孔は、上記スペーサが上記キャリッジアームにカシメられる際、塑性変形する上記ボス部の一部を上記通路の径方向へ逃がす逃がし部を有するものであることを特徴とする。
【発明の効果】
【００１７】
本発明によれば、ボス部が球体の通過方向に大きく塑性変形することを抑えることができる基体、およびその基体をキャリッジアームとして有する情報記憶装置を提供することができる。
【発明を実施するための最良の形態】
【００１８】
以下図面を参照して本発明の実施の形態を説明する。
【００１９】
図１は、本発明に係る情報記録装置の一実施形態であるハードディスクドライブを示す図である。
【００２０】
図１に示すハードディスクドライブ１００のハウジング１１０には、回転軸１２０に装着されて回転する磁気ディスク１３０と、磁気ディスク１３０に対して情報記録と情報再生を行う磁気ヘッド１４１と、先端にその磁気ヘッド１４１が配備されたサスペンションアーム１５０が収容されている。磁気ヘッド１４１はスライダに搭載された状態でサスペンションアーム１５０に配備されている。また、このハウジング１１０には、後端側を回動支点１６０ａにして先端側が磁気ディスク１３０表面に沿って回動するキャリッジアーム１６０と、そのキャリッジアーム１６０を駆動するアクチュエータ１８０も収容されている。サスペンションアーム１５０とキャリッジアーム１６０はスペーサ１７０を介して接続されており、キャリッジアーム１６０が回動すると、図中の矢印が示すように磁気ヘッド１４１が磁気ディスク１３０表面に沿って移動する。なお、ハウジング１１０の内部空間は、図示しないカバーによって閉鎖される。
【００２１】
本実施形態のハードディスクドライブ１００には、回転軸１２０に複数枚の磁気ディスク１３０が配備されており、各磁気ディスク１３０毎に、先端に磁気ヘッド１４１が配備されたサスペンションアーム１５０が備えられている。
【００２２】
図２は、スペーサによって接続されたサスペンションアームとキャリッジアームを側方から見たときの様子を模式的に表した図である。
【００２３】
この図２には、３本のサスペンションアーム１５０が示されており、それらの各先端には、磁気ヘッドを搭載したスライダ１４０が保持されている。１つのキャリッジアーム１６０には、２本のサスペンションアーム１５０がキャリッジアーム１６０の先端部分を挟み込むようにスペーサ１７０を介して取り付けられており、キャリッジアーム１６０の先端部分は２枚のスペーサ１７０によって挟み込まれている。スペーサ１７０はキャリッジアーム１６０よりは薄くサスペンションアーム１５０よりは厚い板部材１７１を有する。この板部材１７１の長手方向一端側（図２では左端側）には、サスペンションアーム１５０の後端がレーザ溶接によって取り付けられている。また、板部材１７１の、長手方向一端に対する他端側（図２では右端側）は、キャリッジアーム１６０の先端部分に取り付けられている。キャリッジアーム１６０に取り付けられた板部材１７１では、サスペンションアーム１５０が取り付けられた面とは反対側の面がキャリッジアーム１６０に接している。
【００２４】
図１に示す磁気ディスク１３０への情報の記録および磁気ディスク１３０に記憶された情報の再生にあたっては、磁気回路で構成されたアクチュエータ１８０によってキャリッジアーム１６０が駆動され、不図示の圧電アクチュエータによってスライダ１４０が駆動されて、スライダ１４０に搭載された磁気ヘッド１４１が、回転する磁気ディスク１３０上の所望のトラックに位置決めされる。磁気ヘッド１４１は、磁気ディスク１３０の回転に伴って、磁気ディスク１３０の各トラックに並ぶ各微小領域に順次近接する。情報の記録時には、このように磁気ディスク１３０に近接した磁気ヘッド１４１に電気的な記録信号が入力され、磁気ヘッド１４１により、その記録信号に応じてそれらの各微小領域に磁界が印加されて、その記録信号に担持された情報が各微小領域の磁化方向として記録される。また、情報の再生時には、磁気ヘッド１４１によって、各微小領域の磁化方向として記録された情報が、それらの磁化それぞれが発生する磁界に応じた電気的な再生信号として取り出される。
【００２５】
続いて、スペーサ１７０の、キャリッジアーム１６０への取付けについて説明する。
【００２６】
図３は、キャリッジアームへ２枚のスペーサをセットする様子を示す図である。
【００２７】
図３に示すスペーサ１７０の板部材１７１の形状は、先端が先細になった細長い形状である。この板部材１７１は後端側に、板部材表面から突出した円筒状のボス部１７２を有する。図３に示すスペーサ１７０には、板部材１７１を貫通しボス部１７２先端まで繋がった通路１７３が設けられている。
【００２８】
一方、図３に示すキャリッジアーム１６０の先端部分１６１には、厚さ方向に貫通した貫通孔１６２が設けられている。この貫通孔１６２の形状は、円筒状のボス部１７２の外径よりもほんの僅かに大きな径の大円１６２１と、その大円１６２１よりも遙かに小さな径の小円１６２２を互いの円弧が交差するように重ね合わせた形状であり、図３に示す貫通孔１６２は、キャリッジアーム１６０の先端に向かって突出した突出空間１６２０を有する。この突出空間１６２０は、小円１６２２の、大円１６２１から外れた部分の空間に相当する。したがって、突出空間１６２０を画定する壁は円弧状であり強度が高い。なお、突出空間１６２０を画定する壁は直線状であってもよい。
【００２９】
２枚のスペーサ１７０は、キャリッジアーム１６０の先端部分を厚み方向に挟み込むように、各ボス部１７２を貫通孔１６２に嵌入させることでキャリッジアーム１６０にセットされる。
【００３０】
図４は、キャリッジアームにセットされた２枚のスペーサをキャリッジアームに固着させる様子を示す図である。
【００３１】
まず、２枚のスペーサ１７０がセットされたキャリッジアーム１６０を、厚さ方向からくさび５１０によって挟み込んだ状態で、図４では上方に示されるプレスクランプ５２０と下方に示されるプレスクランプ受け５３０との間に配置する。続いて、プレスクランプ５２０側からプレス圧力をかけ、ベアリングボールからなるカシメボール５５０を、カシメピン５４０によって下方へ押し出しスペーサ１７０に設けられた通路１７３を通過させる。カシメボール５５０は、スペーサ１７０の通路１７３の径よりも大きな径の球体であり、カシメボール５５０がその通路１７３を通過することでスペーサ１７０のボス部１７２が塑性変形し、スペーサ１７０はキャリッジアーム１６０にカシメられる。この図４には、図３に示す貫通孔１６２に設けられた突出空間１６２０も示されている。
【００３２】
次いで、突出空間１６２０が設けられた貫通孔１６２を有するキャリッジアーム１６０にスペーサ１７０がカシメられる際、ボス部１７２に加わる力について説明する。まずここでは、突出空間１６２０が設けられていない貫通孔を有するキャリッジアーム１６０にスペーサ１７０がカシメられる例について、今まで説明した構成要素と同じ名称の構成要素にはこれまで用いた符号を付して説明する。
【００３３】
図５は、突出空間が設けられていない貫通孔を有するキャリッジアームと、図３に示すスペーサとを模式的に示す図である。
【００３４】
図５に示すキャリッジアーム１６０の先端部分１６１には、スペーサ１７０の後端側に設けられたボス部１７２の外径よりもほんの僅かに大きな径の円（図３に示す大円１６２１）形状の貫通孔１６２が設けられている。なお、スペーサ１７０の先端には、サスペンションアーム１５０が取り付けられている。この図５に示すキャリッジアーム１６０にスペーサ１７０がカシメられる際、ボス部１７２には放射状に均等な力が作用する（図５中の矢印参照）。
【００３５】
図６は、図５に示すキャリッジアームにスペーサがカシメられる際、ボス部に加わる力をベクトル解析した図である。
【００３６】
図４に示すカシメピン５４０がカシメボール５５０を押す力をＦ０とすると、カシメボール５５０が通過する際そのカシメボール５５０からボス部１７２が受ける力Ｆは、Ｆ＝Ｆ０×ｃｏｓθとなる。なお、カシメボール５５０の半径をｒ１とし通路１７３の半径をｒ２とすると、ｓｉｎθ＝ｒ２／ｒ１であることからｃｏｓθ＝（ｒ１2−ｒ２2）1/2／ｒ１で表される。
【００３７】
また、ボス部１７２にかかるカシメボール５５０の通過方向の力Ｆｚは、
Ｆｚ＝Ｆ×ｃｏｓθ＝Ｆ０×ｃｏｓ2θ      式１
となる。
【００３８】
図７は、図３に示す突出空間が設けられた貫通孔を有するキャリッジアームにスペーサがカシメられた後の状態をベクトル解析した図である。
【００３９】
スペーサ１７０がキャリッジアーム１６０にカシメられる際、塑性変形するボス部１７２の一部は、図３に示す突出空間１６２０に逃げ込み、通路１７３の径方向にΔｘ変位する。したがって、図３に示す突出空間１６２０は、本発明にいう逃がし部の一例に相当する。
【００４０】
ボス部１７２の一部が通路１７３の径方向にΔｘ変位した場合には、ボス部１７２にかかるカシメボール５５０の通過方向の力Ｆｚ’は、
Ｆｚ’＝Ｆ’×ｃｏｓθ’＝Ｆ０×ｃｏｓ2θ’      式２
となる。なお、ｃｏｓθ’＝｛ｒ１2−（ｒ２＋Δｘ）2｝1/2／ｒ１で表される。
【００４１】
したがって、上記式１と式２より、
Ｆｚ’＝Ｆｚ×ｃｏｓ2θ’／ｃｏｓ2θ＝Ｆｚ×｛ｒ１2−（ｒ２＋Δｘ）2｝／（ｒ１2−ｒ２2）      式３
となる。
【００４２】
図８は、Ｆｚ’／ＦｚとΔｘの関係を示したグラフである。
【００４３】
この図８に示す関係は、カシメボール５５０の半径の９０％の半径を有する通路１７３が設けられたスペーサをキャリッジアーム１６０にカシメる際の関係である。図８に示すグラフの横軸はΔｘ（単位ｍｍ）を表し、縦軸は上記式３から導き出せるＦｚ’／Ｆｚの値である。
【００４４】
図８に示すグラフからわかるように、Δｘが大きくなるとＦｚ’／Ｆｚの値は低減している。ここで、Δｘは図３に示す突出空間１６２０の、キャリッジアーム１６０の先端に向かって突出した突出量に相当する。したがって、突出空間１６２０の、キャリッジアーム１６０の先端に向かって突出した突出量を大きくすればするほど、ボス部１７２にかかるカシメボール５５０の通過方向の力は小さくなることがわかる。ボス部１７２にかかるカシメボール５５０の通過方向の力が小さくなれば、ボス部１７２がカシメボール５５０の通過方向に大きく塑性変形することが抑えられる。しかも、図３に示す突出空間１６２０は、サスペンションアーム１５０の延在方向に突出した空間であるため、スペーサ１７０が有する板部材１７１の、サスペンションアーム１５０が取り付けられている前端側がカシメボール５５０の通過方向に引っ張られることを確実に抑えることができ、その結果、サスペンションアーム１５０が傾斜し先端が持ち上がってしまうことが防止される。
【００４５】
続いて、本実施形態の変形例について説明する。以下説明する変形例は、貫通孔１６２の形状を変えた例であり、今まで説明した構成要素と同じ名称の構成要素にはこれまで用いた符号を付して説明する。
【００４６】
図９は、楕円形状の貫通孔が設けられたキャリッジアームと、図３に示すスペーサとを模式的に示す図である。
【００４７】
この図９には、スペーサ１７０の長手方向（図中の矢印参照）に延びるサスペンションアーム１５０の一部が示されている。図９に示すキャリッジアーム１６０には、スペーサ１７０に設けられたボス部１７２の外径よりもほんの僅かに大きな径を短径とし、取り付けられるスペーサ１７０の長手方向に長径方向を一致させた楕円形状の貫通孔１６２が設けられている。図９に示す貫通孔１６２にボス部１７２を嵌入させた際、長径方向の両側部分１６２５に隙間が生じる。スペーサ１７０がキャリッジアーム１６０にカシメられる際、塑性変形するボス部１７２の一部は、この隙間に逃げ込む。したがって、図９に示す貫通孔１６２の長径方向両側部分１６２５が、本発明にいう逃がし部の一例に相当する。
【００４８】
図１０は、２つの貫通孔が設けられたキャリッジアームと、図３に示すスペーサとを模式的に示す図である。
【００４９】
図９に示すキャリッジアーム１６０には、取り付けられるスペーサ１７０の長手方向に２つの真円状の貫通孔１６２ａ，１６２ｂが近接して設けられている。キャリッジアーム１６０の先端から離れた貫通孔１６２ａの径は、円筒状のボス部１７２の外径よりもほんの僅かに大きな径であり、キャリッジアーム１６０の先端に近い貫通孔１６２ｂの径は、ボス部１７２の外径より遙かに小さな径である。スペーサ１７０のボス部１７２は、径の大きなを貫通孔１６２ａに嵌入され、カシメボールがスペーサの通路を通過する際、２つの貫通孔１６２ａ、１６２ｂの間が破断し両者とは一体となる。すなわち、図３に示す貫通孔１６２の形状に似た形状になる。塑性変形するボス部１７２の一部は、径の小さな貫通孔１６２ｂに逃げ込む。
【００５０】
以上、ここではハードディスクドライブ１００を例にあげて説明したが、本発明のうちの基体は、取付部材がカシメられるものに広く適用することができる。また、図３に示す突出空間１６２０の突出方向や、図９に示す楕円形状の貫通孔１６２の長径方向は、取付部材の長手方向に限定されるものではない。
【００５１】
以下、本発明の各種態様を付記する。
【００５２】
（付記１）
相対的に厚さが薄い板部材の表面から突出した円筒状のボス部を有し該板部材を貫通し該ボス部先端まで繋がった通路が設けられた取付部材が取付けられる、相対的に厚さが厚い基体において、
前記ボス部が嵌入される、厚さ方向に貫通した貫通孔を有し、
前記取付部材が、前記貫通孔に前記ボス部を嵌入させた状態で前記通路の径よりも大きな径の球体を該通路を通過させることで該ボス部を塑性変形させて前記基体にカシメられるものであり、
前記貫通孔は、前記取付部材が前記基体にカシメられる際、塑性変形する前記ボス部の一部を前記通路の径方向へ逃がす逃がし部を有するものであることを特徴とする基体。
【００５３】
（付記２）
前記貫通孔が、前記ボス部の外周径に対応した径の大円と、該大円よりも小さな小円とを互いの円弧が交差するように重ね合わせた形状の孔であり、該小円の、該大円から外れた部分が前記逃がし部として作用するものであることを特徴とする付記１記載の基体。
【００５４】
（付記３）
前記貫通孔が、楕円形状の孔であり、長径方向両端部分が前記逃がし部として作用するものであることを特徴とする付記１記載の基体。
【００５５】
（付記４）
この基体が、後端側を回動支点にしてアクチュエータからの駆動力を受けて先端側が所定の情報記憶媒体の表面に沿って回動するキャリッジアームであって、
前記取付部材は、所定の情報記憶媒体に対する情報記録および情報再生のうち少なくともいずれか一方を行うヘッドが先端に配備されたサスペンションアームの後端が、長手方向一端側に取り付けられ、該一端側に対する他端側が前記キャリッジアーム先端側に取り付けられるスペーサであることを特徴とする付記１記載の基体。
【００５６】
（付記５）
前記貫通孔が、前記ボス部の外周径に対応した径の円から前記キャリッジアーム先端に向けて突出した突出空間を有するものであり、該突出空間が前記逃がし部として作用するものであることを特徴とする付記４記載の基体。
【００５７】
（付記６）
前記貫通孔が、取り付けられるスペーサの長手方向に長径方向を一致させた楕円形状の孔であり、該長径方向の両側部分が前記逃がし部として作用するものであることを特徴とする付記５記載の基体。
【００５８】
（付記７）
所定の情報記憶媒体に対する情報記録および情報再生のうち少なくともいずれか一方を行うヘッドと、
前記ヘッドが前記情報記憶媒体に対して近接あるいは接触するように該ヘッドを保持するサスペンションアームと、
アクチュエータからの駆動力を受けて前記情報記憶媒体の表面に沿って移動するキャリッジアームと、
一端が前記サスペンションアームに取り付けられるとともに該一端に対する他端が前記キャリッジアームに取り付けられたものであって、前記キャリッジアームの厚さよりも薄い板部材の表面から突出した円筒状のボス部を有し該板部材を貫通し該ボス部先端まで繋がった通路が設けられたスペーサとを備え、
前記キャリッジアームが、前記ボス部が嵌入された、厚さ方向に貫通した貫通孔を有するものであり、
前記スペーサが、前記キャリッジアームに取り付けられる際、前記貫通孔に前記ボス部を嵌入させた状態で前記通路の径よりも大きな径の球体を該通路を通過させることで該ボス部を塑性変形させて前記キャリッジアームにカシメられたものであり、
前記貫通孔は、前記スペーサが前記キャリッジアームにカシメられる際、塑性変形する前記ボス部の一部を前記通路の径方向へ逃がす逃がし部を有するものであることを特徴とする情報記憶装置。
【図面の簡単な説明】
【００５９】
【図１】本発明に係る情報記録装置の一実施形態であるハードディスクドライブを示す図である。
【図２】スペーサによって接続されたサスペンションアームとキャリッジアームを側方から見たときの様子を模式的に表した図である。
【図３】キャリッジアームへ２枚のスペーサをセットする様子を示す図である。
【図４】キャリッジアームにセットされた２枚のスペーサをキャリッジアームに固着させる様子を示す図である。
【図５】突出空間が設けられていない貫通孔を有するキャリッジアームと、図３に示すスペーサとを模式的に示す図である。
【図６】図５に示すキャリッジアームにスペーサがカシメられる際、ボス部に加わる力をベクトル解析した図である。
【図７】図３に示す突出空間が設けられた貫通孔を有するキャリッジアームにスペーサがカシメられた後の状態をベクトル解析した図である。
【図８】Ｆｚ’／ＦｚとΔｘの関係を示したグラフである。
【図９】楕円形状の貫通孔が設けられたキャリッジアームと、図３に示すスペーサとを模式的に示す図である。
【図１０】２つの貫通孔が設けられたキャリッジアームと、図３に示すスペーサとを模式的に示す図である。
【符号の説明】
【００６０】
１００    ハードディスクドライブ
１３０    磁気ディスク
１４１    磁気ヘッド
１５０    サスペンションアーム
１６０    キャリッジアーム
１７０    スペーサ
１７１    板部材
１７２    ボス部
１７３    通路
１６２    貫通孔
１６２１    大円
１６２２    小円
１６２０    突出空間
５５０    カシメボール
【図１】
2006073064.tif 000003
【図２】
2006073064.tif 000004
【図３】
2006073064.tif 000005
【図４】
2006073064.tif 000006
【図５】
2006073064.tif 000007
【図６】
2006073064.tif 000008
【図７】
2006073064.tif 000009
【図８】
2006073064.tif 000010
【図９】
2006073064.tif 000011
【図１０】
2006073064.tif 000012